(57)【特許請求の範囲】
【請求項１】
先鋭な端部の一部を除いた残りの部分が絶縁体でコーティングされた多数のニードルと、
前記多数のニードルを固定するニードル固定部と、
前記ニードル固定部に固定された多数のニードルが皮膚に挿入されるように前記ニードル固定部に打撃を加えるように力を伝達する駆動部と、
前記多数のニードルと電気的に連結されて電磁波を前記多数のニードルに伝達する電磁波伝達部と、
前記多数のニードル、ニードル固定部、電磁波伝達部が組み立てられてなる組立体が、開放された上部を通じて挿入されるように形成され、皮膚と接する下部に前記多数のニードルが通過する第２孔が多数形成され、前記形成された多数の第２孔に前記多数のニードルが通過するように形成された皮膚支持部材と、
前記ニードル固定部を皮膚から遠くなる方向に移動させるように弾性復元力を有する弾性部材と、
を含み、
前記弾性部材は、打撃により皮膚に前記ニードルが挿入された直後、弾性を用いて２秒以内に皮膚に挿入された多数の伝導性ニードルを皮膚から抜け出させることを特徴とする皮膚処置装置。
【請求項２】
前記駆動部は、前記ニードル固定部が嵌合し組み立てられる第１結合部位を備えたことを特徴とする請求項１に記載の皮膚処置装置。
【請求項３】
前記ニードル固定部に固定されるニードルは、そのニードルの長さが互いに異なる２種以上からなることを特徴とする請求項１に記載の皮膚処置装置。
【請求項４】
前記駆動部は、前記多数のニードルが皮膚に挿入される深さを調節するための調節部材を備えたことを特徴とする請求項２に記載の皮膚処置装置。
【請求項５】
前記調節部材は、
前記駆動部の前進を制御するために互いに異なる厚さを有する胴体が備えられ、前記駆動部が前記胴体に鍔で係止する状態で固定されることを特徴とする請求項４に記載の皮膚処置装置。
【請求項６】
前記駆動部は、前記第１結合部位と区別され、前記調節部材が結合される第２結合部位が備えられ、前記駆動部が前記調節部材にかかって駆動部の前進を制御することを特徴とする請求項４に記載の皮膚処置装置。
【請求項７】
前記調節部材は、厚さが互いに異なる係止鍔が多数形成されて、前記係止鍔を回転させることで前記駆動部の前進を制御するようになることを特徴とする請求項５に記載の皮膚処置装置。
【請求項８】
前記ニードルが皮膚に挿入される深さを調節するように、一側が皮膚に支持され、交替可能な挿入制限部材を含むことを特徴とする請求項４に記載の皮膚処置装置。
【請求項９】
前記駆動部が挿入されるように一側面が開放され、前記開放された一側面に駆動部が嵌挿され、前記駆動部が下部に力を加えるように、下部が一部開放されたキャビティボディーをさらに含むことを特徴とする請求項１に記載の皮膚処置装置。
【請求項１０】
前記駆動部は、電気信号により動く電磁気力、油圧力、空気圧力及びソレノイドバルブのうちのいずれか１つを含むことを特徴とする請求項１に記載の皮膚処置装置。
【請求項１１】
前記電磁波伝達部は、外部から電磁波をケーブルを通じて電磁波を受信した後、多数の伝導性ニードルに伝送することを特徴とする請求項１に記載の皮膚処置装置。
【請求項１２】
前記キャビティボディーは、前記駆動部で発生する熱を冷却するように前記駆動部と接触する面に水が循環される構造を備えたことを特徴とする請求項９に記載の皮膚処置装置。
【請求項１３】
前記キャビティボディーは、前記駆動部と接する部分はその駆動部より温度が低く維持され、前記駆動部と接する部分の反対面は前記駆動部と接する部分より温度が高く維持される熱電素子がさらに備えられたことを特徴とする請求項９に記載の皮膚処置装置。
【請求項１４】
前記キャビティボディーは、前記ニードル固定部が嵌合し組み立てられる第３結合部位が備えられたことを特徴とする請求項９に記載の皮膚処置装置。
【請求項１５】
前記キャビティボディーは、前記第３結合部位と区別され、調節部材が組み立てられる第４結合部位がさらに形成されて、前記駆動部が前記調節部材にかかって駆動部の前進を制御することを特徴とする請求項１４に記載の皮膚処置装置。
【請求項１６】
前記多数のニードル、ニードル固定部、駆動部、電磁波伝達部及びキャビティボディーを保護するケースがさらに備えられたことを特徴とする請求項９に記載の皮膚処置装置。
【請求項１７】
上部が開放されて上部に前記多数のニードル、前記ニードル固定部、前記電磁波伝達部が嵌合し保護され、下部に前記多数のニードルが通過される多数の第１孔が形成された内部ケースがさらに含まれたことを特徴とする請求項１に記載の皮膚処置装置。
【請求項１８】
前記多数のニードル、ニードル固定部、電磁波伝達部、内部ケースが組み立てられてなる組立体が、開放された上部を通じて挿入されるように形成され、皮膚と接する下部に前記多数のニードルが通過する第２孔が多数形成され、前記第２孔に前記多数のニードルが通過するように配置された皮膚支持部材がさらに含まれたことを特徴とする請求項１７に記載の皮膚処置装置。
【請求項１９】
前記多数のニードルに関する情報を有するメモリ部をさらに含むことを特徴とする請求項１に記載の皮膚処置装置。
【請求項２０】
前記メモリからメモリにすでに記録して保存されたニードルの固有番号を受信して、すでに記録された固有番号と比較した後、一致する場合は前記受信された固有番号に該当する組立体の動作を中止するように制御する中央処理ユニット（ＣＰＵ）をさらに含むことを特徴とする請求項１９に記載の皮膚処置装置。
【請求項２１】
前記内部ケースを覆う第１蓋、前記皮膚支持部材を覆う第２蓋をさらに含むことを特徴とする請求項１８に記載の皮膚処置装置。
【請求項２２】
前記皮膚支持部材を覆う第２蓋をさらに含むことを特徴とする請求項１に記載の皮膚処置装置。
【請求項２３】
前記多数のニードルのそれぞれは、一側の直径が０．１ｍｍないし０．４ｍｍであることを特徴とする請求項１に記載の皮膚処置装置。
【請求項２４】
前記多数のニードルのそれぞれは、一側端部と先鋭な他側端部の間に１段以上角度が曲がったことを特徴とする請求項１に記載の皮膚処置装置。
【請求項２５】
前記多数のニードルのそれぞれは、一側端部と先鋭な他側端部の間で曲がることなく、ラウンドに形成されることを特徴とする請求項１に記載の皮膚処置装置。
【請求項２６】
前記多数のニードルのそれぞれは、先鋭な端部一部を除いた残りの部分に５μｍないし２５μｍ厚さでパリレンコーティング、テフロンコーティング、セラミックコーティングのうちのいずれか１つでコーティングされたことを特徴とする請求項１に記載の皮膚処置装置。
【請求項２７】
前記多数のニードルのそれぞれは、皮膚に挿入された状態で皮膚と接する任意の第１地点とニードルの端部の先鋭な点を連結した第１直線と、前記第１地点と対向する第２地点を前記ニードルの端部の先鋭な点と連結した第２直線との間の角が１４゜ないし３０゜であることを特徴とする請求項１に記載の皮膚処置装置。
【請求項２８】
前記多数のニードルは、いずれか１つのニードルと隣接するニードルとの間の間隔が０．４ｍｍないし３．０ｍｍであることを特徴とする請求項１に記載の皮膚処置装置。
【請求項２９】
前記多数のニードルは、皮膚に挿入される挿入深さが０．３ｍｍないし２．５ｃｍであることを特徴とする請求項１に記載の皮膚処置装置。
【請求項３０】
前記多数のニードルは、第一番目に配置されたニードルから対向する端部に配置されたニードルまでの距離が２ｍｍないし２０ｍｍであることを特徴とする請求項１に記載の皮膚処置装置。
【請求項３１】
前記多数のニードルは、４本ないし８１本からなることを特徴とする請求項１に記載の皮膚処置装置。
【請求項３２】
前記皮膚支持部材は、ステンレスであることを特徴とする請求項１に記載の皮膚処置装置。
【請求項３３】
前記電磁波は、１０ＫＨｚないし１００ＭＨｚであることを特徴とする請求項１に記載の皮膚処置装置。
【請求項３４】
前記ニードル固定部は、前記多数のニードルが挿入される皮膚と５ｍｍないし３ｃｍの距離に位置することを特徴とする請求項１に記載の皮膚処置装置。
【請求項３５】
前記ケースは、皮膚に向かって突出され、外部から流入された冷気を皮膚に向かって噴射する冷気噴射ノズルを備えたことを特徴とする請求項１６に記載の皮膚処置装置。
【請求項３６】
前記挿入制限部材は、
冷却媒体が流動する冷却媒体通路と、
前記冷却媒体通路に備えられ冷却媒体が流入される冷却媒体入口と、
前記冷却媒体入口に流入された冷却媒体が前記冷却媒体通路を流動した後、排出される冷却媒体出口と、
を備えたことを特徴とする請求項８に記載の皮膚処置装置。
【請求項３７】
前記複数のニードルは、それぞれ長さ方向に貫通された薬物注入管を備え、
前記複数のニードルのうち一部のみに薬物が供給されるように、前記ニードルの上部に薬物供給通路の一端部が連結され、前記複数のニードルのうちの残りには、前記電磁波伝達部から電磁波が伝達されるように伝達部材が配置され、
前記薬物供給通路の他端部は、薬物が収容され、ピストンにより加圧される薬物注入装置に連結されたことを特徴とする請求項１に記載の皮膚処置装置。
【発明の詳細な説明】
【技術分野】
【０００１】
本発明は、皮膚処置装置に関し、さらに詳しくは、絶縁体で一部がコーティングされた多数のニードルが皮膚に挿入され、前記皮膚に挿入されたニードルを通じて皮膚に電磁波を伝達する皮膚処置装置に関する。
【背景技術】
【０００２】
論文１（Ｈｙｕｎ−Ｊｕ  Ｊｅｏｎｇ，Ｔｈｅ  ｍｅａｓｕｒｅｍｅｎｔ  ｏｆ  ｔｈｅ  ｔｈｉｃｋｎｅｓｓ  ｏｆ  ｔｈｅ  Ｋｏｒｅａｎ’ｓ  ｓｋｉｎ  ｂｙ  ｕｌｔｒａｓｏｕｎｄ，ＫｙｕｎｇＢｕｋ  Ｕｎｉｖ．，１９９０．Ｖｏｌ．２８（２），１２１−１２９）及び論文２（Ｊｉｎ−Ｓｕｎｇ  Ｐａｒｋ，Ｔｈｅ  ｍｅａｓｕｒｅｍｅｎｔ  ｏｆ  ｔｈｅ  ｔｈｉｃｋｎｅｓｓ  ｏｆ  ｔｈｅ  Ｋｏｒｅａｎｓ  ｓｋｉｎ  ｂｙ  ａ  ＣＴ  ｓｃａｎ，Ｃａｔｈｏｌｉｃ  Ｕｎｉｖ．，１９９５．Ｖｏｌ．３３，３０３−３１１）を参照すると、東洋人の皮膚の厚さは、略１．５ｍｍ〜４．０ｍｍ程度であり、このうち、表皮の厚さは０．０６ｍｍ〜０．２ｍｍ程度である。
【０００３】
例えば、前記皮膚の厚さと係わって最も厚い部分である頬（ｃｈｅｅｋ）は、約２．７ｍｍ（±０．４０ｍｍ）程度であり、最も薄い部分である額（ｆｏｒｅｈｅａｄ）とまぶたは、約０．８４ｍｍ程度である。
【０００４】
人の皮膚は、表皮層と真皮層で構成されている。真皮層は、皮膚の主要支持体を提供する。真皮層は、コラーゲンと呼ばれる蛋白質からなる。コラーゲンは、線維芽細胞及びポリペプチドを含む三重らせん構造である。コラーゲン組織が加熱されると、収縮（ｓｈｒｉｎｋａｇｅ）温度で蛋白質マトリックス（ｍａｔｒｉｘ）の物理的な変異が生じる。このような変異のひとつである軟組織（ｓｏｆｔ  ｔｉｓｓｕｅ）リモデリングは、細胞及び分子水準で生じる現象である。人為的な熱により発生された収縮またはコラーゲンの部分変性（ｄｅｎａｔｕｒｉｚａｔｉｏｎ）は、三重らせん結合を分解してマトリックスの分子間の結合を破壊する。傷内への線維芽細胞の移動及び自然的な傷の治癒結果として現われる収縮と比較すると、軟組織リモデリングは即刻な工程である。細胞収縮が生じると、コラーゲンは張り切った軟組織構造内の静的支持マトリックスとして下部に位値する。初期の傷痕マトリックスの蒸着及び後続のリモデリングは、美容の目的のための軟組織の一貫性及び形状を変更させる手段を提供する。
【０００５】
通常、各種の傷痕または皮膚病変を治療する目的や、皮膚改善またはしわ改善のような美容上の目的で処置する方法は、該当部位に多様なエネルギー源を加えて組織を凝固させることである。例えば、熱エネルギーを伝達する方法が多く知られている。
【０００６】
これらの方法は、様々なエネルギーを皮膚組織の目的部位に加えることで、故意的に傷を誘発させて、真皮層のコラーゲンを刺激してコラーゲンの再生作用を誘導することで皮膚組職を再生する方法である。
【０００７】
論文を参照すると、６５℃ないし７５℃で最も確実にコラーゲン変性が誘発されることが知られている。しかし、患者がこのような温度における痛みを耐えられるか否かによって、治療効果が変わることがある。
【０００８】
従来には、光、近赤外線、マイクロ波を放射して皮膚の目的部位を加熱した。従来の方法は、皮膚の表皮部分に熱を加えてこの熱が皮膚の目的部位まで伝達されるようにした。
【０００９】
しかし、この場合、熱エネルギーが皮膚の外部から皮膚組織の目的部位（表皮、真皮、皮下脂肪）に到逹する過程において表面層で大きく散乱及び吸収される。したがって、実際に真皮層に伝達されるエネルギーは減少するようになる。このような問題点を解決するために、皮膚に加える熱エネルギーを増加させると、表皮層が火傷を負うようになるという問題点がある。
【００１０】
一方、物理的エネルギーを用いる方法がある。この方法は、主に極細のニードル（ｎｅｅｄｌｅ）を皮膚組織の目的部位まで挿入して物理的に刺激する方法である。しかし、この方法は、ユーザが処置対象の皮膚にニードルを直接挿入するため、皮膚組職の目的部位まで到逹するニードルの深さを正確に制御しにくいという問題がある。この方法を用いる場合には、皮膚に物理的な損傷のみを与え、熱的な損傷は与えないため、皮膚組職の目的部位でのコラーゲン再生や損傷された皮膚を再生する効果が制限的であった。また、ニードルが表皮に対して斜めに挿入されると、入射角と出射角が変わるようになるため不要な傷が生じるようにして真皮を刺激することがある。
【００１１】
また、多数のニードルが付着したローラーを皮膚に擦る場合、入射角と出射角が変わるようになるため、不要な傷と痛みを誘発するようになる。
【００１２】
また従来技術として、電磁波を皮膚に伝達する伝導性ニードルは、皮膚挿入の際、伝導性ニードルの角度または伝導性ニードルの直径などが重要な因子（ｐａｒａｍｅｔｅｒ）である。これは、伝導性ニードルを皮膚に挿入するとき、痛みと火傷を誘発するため、前記痛みと火傷を除去するための最適化された伝導性ニードルの開発が必要である。しかし従来の伝導性ニードルは、伝導性ニードルの角度、直径を無視して無作為に製作されている。したがって、痛みと火傷を除去しにくいという問題があった。
【００１３】
次に、従来のニードル器具を含むハンドピースは、高周波が印加されるニードルを手で直接挿入して、挿入の深さ、強度、挿入時の平衡程度、挿入時間などが一定ではない。その結果、治療効果と痛み、施術時間などに多くの差があって標準化しにくいところがあった。
【００１４】
所望の治療目的を達成するためには、多数のニードルが人体にほとんど同時に挿入され、そのニードルの端部に電気エネルギーを印加し、多数のニードルを皮膚の非常に浅い層に挿入する場合、ニードルの端部の微細な深さを設定どおり正確にコントロールしなければならない。
【００１５】
図１に示されたように、複数のニードルを水平にコントロールすることができない場合には、皮膚の表面に所望しない損傷を負わせることがあるため、複数のニードルを水平にコントロールすることができる方法が必要である。
【００１６】
また、この装置を人体に挿入する場合、毎回、常に一定な圧力で皮膚に挿入しないと患者の恐怖心と痛みを減らすことができない。
【００１７】
図２は、従来の器具で施術する場合において、臨床対象者に不規則な圧力で施術した場合、恐怖心と痛みに対するアンケート調査を行って図表化したもので、規則的な圧力で施術したときより不規則な圧力で施術した場合、臨床対象者の恐怖心と痛みが減ったことが分かる。
【００１８】
皮膚中に入ったニードルは、常に一定時間以内に皮膚から抜け出ると事故の危険がなく痛みが減少する。
【００１９】
施術する途うち、ショット（ｓｈｏｔ）ごとにニードルが皮膚から抜け出る時間が異なると、皮膚の一部位を施術した後、横に移動する過程において、皮膚がニードルにより引っかけられたり、高周波が表皮に直接印加されたりして、図３のように皮膚が所望しない損傷を受けることがある。また、皮膚内にニードルがとどまる時間が長ければ長いほど、患者の痛みが増加する。
【００２０】
図４は、臨床対象者に対するアンケート調査を行った結果であって、ニードルが皮膚に挿入されている時間が長ければ長いほど、痛みを感じる臨床者の数が多いことが分かる。
【００２１】
従来のハンドピースは、ニードルの寿命が終わっても、交替時期がわからないという問題がある。
【００２２】
図５ないし図７に示されたように、ニードルは、一定時間が経つか、または使用回数が尽きると、端部が焦げたり、撓んだりするなどの問題が発生する。したがって、ニードルの安全性のために一定時間または使用回数が尽きると、これ以上使用することができないようにする必要がある。またバイポーラ型（ｂｉｐｏｌａｒ  ｔｙｐｅ）とモノポーラ型（ｍｏｎｏｐｏｌａｒ  ｔｙｐｅ）のニードルを同時に用いる場合、ユーザがエネルギー量を調節するか、または対極板設置の有無を分かっていなければならない。したがって、このような情報を保存して表示する手段が必要である。
【００２３】
多数のニードルの使用量や、特性によって施術方法と目的が変わる。したがって、多数のニードルの情報を読み込んで装備の変数（ｐａｒａｍｅｔｅｒ）を制御するのに用いるための認識装置が要求される。
【００２４】
ニードルを深さ０．２ｍｍ以上に皮膚に挿入し、高周波エネルギーを印加すると、微細ではあるが、蛋白質変性が生じる。変性された蛋白質はニードルにくっついて、ニードルを皮膚からよく抜けにくくする。
【００２５】
仮に、ニードルが抜けて皮膚からいない状態で、水平方向にニードルをスライドして移動するとき、図３のようにニードルにより皮膚が損傷される。
【００２６】
また、多数のニードルが皮膚に挿入されるとき、挿入される時間が長いほど患者の恐怖心と痛みが増加する。したがって、挿入時間をできるだけ短縮させる必要がある。またニードルを手で挿入すると左右に微細な震動が発生し、標準化していない施術により、患者の恐怖心と痛みが倍加される。図８は、ニードルの挿入速度と方法に対する患者の痛み程度を示した図である。
【００２７】
ソレノイドバルブなど電動装置は、押す力に比べて回収する力が弱いため、回収する力を補助してニードルが皮膚から抜け出ることを助ける手段が必要である。そのため、ニードルが皮膚から分離されて安全性が確保される時間を減少させ、施術者と患者のストレスを減少させる必要が要求される。
【発明の概要】
【００２８】
本発明は、前記問題点を解決するために案出されたものであって、表皮層を貫通して真皮層または目的とする皮膚組職内までニードルを挿入し、高周波エネルギーを印加することで、火傷を負わせず、皮膚を処置することができる皮膚処置装置を提供することにある。
【００２９】
本発明の他の目的は、皮膚組織内の目的とする部位にエネルギーを正確に伝達することができる皮膚処置装置を提供することにある。
【００３０】
本発明のさらに他の目的は、皮膚に対するニードルの入射角と出射角を同一にし、挿入速度と回収速度を標準化及び速めるようにニードルの形態を最適化して、施術者と患者のストレスと痛みを軽減させることにある。
【００３１】
本発明のさらに他の目的は、消耗品として形成されるニードルの種類寿命等を自動に管理して、その安全性をさらに高めることができる装置を提供することにある。
【課題を解決するための手段】
【００３２】
前記目的を達成するための本発明の第一実施例によると、皮膚処置装置は、先鋭な端部の一部を除いた残りの部分が絶縁体でコーティングされた多数のニードル；前記多数のニードルを固定するニードル固定部；前記ニードル固定部に固定された多数のニードルが皮膚に挿入されるように前記ニードル固定部に直接、または間接に力を伝達する駆動部；及び前記多数のニードルと電気的に連結されて電磁波を前記多数のニードルに伝達する電磁波伝達部からなることを解決手段とする。
【発明の効果】
【００３３】
本発明は、伝導性ニードルを挿入するとき、皮膚表面に現われる火傷を除去し、痛みを減少させる効果があり、伝導性ニードルの皮膚挿入を一定に維持して電磁波を挿入するにより、さらに効率的な治療を提供する効果がある。また、メモリによるニードル情報管理でより安全な施術が可能である。
【図面の簡単な説明】
【００３４】
【図１】従来の問題点を説明するための図面である。
【図２】従来の問題点を説明するための図面である。
【図３】従来の問題点を説明するための図面である。
【図４】従来の問題点を説明するための図面である。
【図５】従来の問題点を説明するための図面である。
【図６】従来の問題点を説明するための図面である。
【図７】従来の問題点を説明するための図面である。
【図８】従来の問題点を説明するための図面である。
【図９】本発明による皮膚処置装置の構成図である。
【図１０】本発明による皮膚に挿入されたニードルの例示図である。
【図１１】本発明による多数のニードルそれぞれの例示図である。
【図１２】本発明による多数のニードルの配置図である。
【図１３】本発明によるニードルの配置形態を説明するための図面である。
【図１４】本発明によるニードルの配置形態を説明するための図面である。
【図１５】本発明によるニードルの配置形態を説明するための図面である。
【図１６】本発明による多数のニードルの組立例示図である。
【図１７】本発明による皮膚支持部材の役割を説明するための図面である。
【図１８】本発明による駆動部を説明するための図面である。
【図１９】本発明による調節部材の調節部材の動作状態図である。
【図２０】本発明による他の調節部材の使用状態図である。
【図２１】本発明によるさらに他の調節部材の使用状態図である。
【図２２】本発明による挿入制限部材の形態を示す図である。
【図２３】本発明による挿入制限部材の形態を示す図である。
【図２４】本発明による挿入制限部材の形態を示す図である。
【図２５】本発明によるキャビティボディーの構成図である。
【図２６】本発明によるキャビティボディーの構成図である。
【図２７】本発明によるキャビティボディーの冷却構成図である。
【図２８】本発明によるキャビティボディーの冷却構成図である。
【図２９】本発明によるキャビティボディーに構成された熱電素子の構成図である。
【図３０】本発明による駆動部の組立例示図である。
【図３１】本発明による冷気噴射ノズルを説明するための図面である。
【図３２】本発明による駆動部の実施形態を例示的に示す図である。
【図３３】本発明による駆動部の実施形態を例示的に示す図である。
【図３４】本発明による駆動部の実施形態を例示的に示す図である。
【図３５】本発明による挿入制限部材の冷却のための構造を示す図である。
【図３６】本発明による挿入制限部材の冷却のための構造を示す図である。
【図３７】本発明による薬物注入構造を説明するための図である。
【発明を実施するための形態】
【００３５】
【００３６】
【００３７】
【００３８】
【００３９】
【００４０】
【００４１】
【００４２】
【００４３】
【００４４】
【００４５】
【００４６】
【００４７】
【００４８】
【００４９】
【００５０】
【００５１】
【００５２】
【００５３】
【００５４】
【００５５】
【００５６】
【００５７】
【００５８】
【００５９】
【００６０】
【００６１】
【００６２】
【００６３】
【００６４】
【００６５】
【００６６】
【００６７】
【００６８】
【００６９】
【００７０】
【００７１】
【００７２】
【００７３】
【００７４】
【００７５】
【００７６】
【００７７】
【００７８】
【００７９】
【００８０】
【００８１】
以下、本発明の好ましい実施例に対して添付の図面を参照してその構成及び作用を説明する。
【００８２】
図９は、本発明による皮膚処置装置の構成図であって、前記皮膚処置装置１０は、多数のニードル１００と、前記多数のニードルを固定するニードル固定部２００と、前記ニードル固定部２００に固定された多数のニードル１００が皮膚に挿入されるように前記ニードル固定部２００に直接、または間接に力を伝達する駆動部３００と、前記多数のニードル２００と電気的に連結されて電磁波を前記多数のニードル１００に伝達する電磁波伝達部４００とからなる。
【００８３】
さらに詳しく、前記多数のニードル１００は、皮膚に挿入されると共に前記ニードル固定部２００に固定され、前記多数のニードルそれぞれは、一側端部の直径が０．１ｍｍないし０．４ｍｍであり、他側端部は尖っている。前記ニードル１００の一側端部の直径が０．１ｍｍ未満の場合には、前記ニードル１００が皮膚に挿入されるとき、撓みやすく皮膚を裂く可能性がある。前記ニードル１００の一側端部の直径が０．４ｍｍを超える場合には、針が皮膚に挿入されるとき、痛みと火傷を誘発することがある。
【００８４】
このとき、前記一側端部から前記他側端部までは、１段以上角度が曲がるのが好ましい。一方、前記一側端部から前記先鋭な他側端部まで曲がることなく、ラウンドに形成することも好ましい。このような形状は、ニードル１００が皮膚に挿入される瞬間に発生する痛みを減少させる作用をする。
【００８５】
また、前記多数のニードル１００それぞれは、前記先鋭な端部の一部を除いた残りの部分に５ｕｍないし２５ｕｍの厚さでパリレンコーティング（Ｐａｒｙｌｅｎｅ  ｃｏａｔｉｎｇ）、テフロン（Ｔｅｆｌｏｎ  ｃｏａｔｉｎｇ）コーティング、セラミックコーティング（Ｃｅｒａｍｉｃ  ｃｏａｔｉｎｇ）のいずれかでコーティングされることが好ましい。このようにコーティングされることにより、ニードル１００を通じて皮膚に伝達する電磁波が、所望の皮膚の深さで発散される。パリレンコーティングの長所を維持し、コーティング後の残余異物が残らないように５μｍないし２５μｍの厚さでコーティングすることが好ましい。パリレンコーティング（Ｐａｒｙｌｅｎｅ  ｃｏａｔｉｎｇ）は、−２００℃〜１５０℃の範囲で熱的、機械的変形や特性変化が起こらず熱的に優秀である。パリレンコーティングは、ニードル１００の表面に均一なコーティング層の形成と厚さ調節が可能である。パリレンコーティングは人体に無害である。セラミックコーティングの素材としては、アルミナ（Ａｌ2Ｏ3）、ジルコニア（ＺｒＯ2）、ガラスセラミック（Ｇｌａｓｓ  ｃｅｒａｍｉｃｓ）、カーボン（Ｃａｒｂｏｒｎ）などが採用されてもよい。前記ニードル１００の素材は、例えばＳｕＳ３０３のようなステンレス鋼が用いられてもよい。
【００８６】
特に、所望の皮膚の深さで電磁波が発散されるために、前記それぞれのニードル１００は、皮膚に挿入された状態において皮膚と接する任意の第１地点とニードルの端部の先鋭な点とを連結した第１直線と、前記第１地点と対向する第２地点を前記ニードルの端部の先鋭な点と連結した第２直線との間の角が１４゜ないし３０゜であることが好ましい。
【００８７】
すなわち、図１０に示されたように、ニードルの先鋭な点をＣ、前記第１地点をＡ、前記第２地点をＢとすると、ＣとＡを連結した第１直線と、ＣとＢを連結した第２直線との間の角が１４゜ないし３０゜になると、痛みなしに電磁波を皮膚に伝達するようになる。第１直線と第２直線の間の角度が１４゜未満の場合には、ニードルの端部が細くなりすぎて撓みやすくなるという問題点がある。第１直線と第２直線の間の角度が３０゜を超える場合には、ニードルの端部が鈍くなって皮膚に円滑に挿入されない問題点と痛みを増加させる問題点がある。
【００８８】
以上多数のニードルそれぞれについて説明し、図１１に示されたニードルの実施例を挙げてさらに詳しく説明する。
【００８９】
前記ニードル１００は、前記先鋭な一側端部から１４゜ないし３０゜斜めに屈折された第１屈折地点まで非絶縁されている。前記第１屈折された地点から２．５゜ないし１２．５゜斜めに屈折された第２屈折地点まで、絶縁体でコーティングされている。前記第２屈折地点から前記一側端部と対向する他側端部まで、直径０．２５ｍｍ屈折なしに水平に絶縁体でコーティングされて、電磁波が前記非絶縁された部分で皮膚に伝達される。
【００９０】
さらに詳しく、前記ニードル１００は、断面が円形で形成されて一側から他側端部まで徐々に縮径される。また前記ニードル１００は、２段屈折され、前記他側端部が尖っているように形成されている。前記ニードル１００の全長さは、約１．５ｃｍ程度が好ましい。
【００９１】
このように形成されたニードル１００は、第１絶縁部１１０と第２絶縁部１２０と、非絶縁部１３０とが一体型に形成されている。前記第１絶縁部（１１）は直径が０．２５ｍｍ±０．０５ｍｍであり、人の皮膚に容易に挿入されるように、ニードルを固定するニードル固定部２００と結合固定される。
【００９２】
前記ニードル１００は、図１１の（ａ）、（ｂ）、（ｃ）、（ｄ）の実施例のように構成されてもよい。
【００９３】
すなわち、図１１に示されたニードル（ａ）は、先鋭な一側端部から２２゜斜めに屈折された第１屈折地点までの距離である約０．２６ｍｍ±０．０２ｍｍの部分が非絶縁されている。ニードル（ａ）は、また第１屈折地点から７．５゜斜めに屈折された第２屈折地点までの距離である約１．１３ｍｍ±０．０２ｍｍの部分が、絶縁体で１０μｍ±２μｍコーティングされている。ニードル（ａ）は、前記第２屈折地点から前記一側端部と対向する他側端部まで直径が０．２５ｍｍで、屈折なしに水平に絶縁体で１０μｍ±２μｍコーティングされて電磁波が皮膚に伝達される。
【００９４】
次に、図３に示されたニードル（ｂ）は、先鋭な一側端部から３０゜斜めに屈折された第３屈折地点までの距離である約０．１７ｍｍ±０．０２ｍｍの部分が非絶縁されている。ニードル（ｂ）は、また第３屈折地点から７．５゜斜めに屈折された第４屈折地点までの距離である約１．１３ｍｍ±０．０２ｍｍの部分が絶縁体で１０μｍ±２μｍコーティングされている。ニードル（Ｂ）は、前記第４屈折地点から前記一側端部と対向する他側端部まで直径が０．２５ｍｍで、屈折なしに水平するように絶縁体で１０μｍ±２μｍコーティングされて電磁波が皮膚に伝達される。
【００９５】
次に、図１１に示されたニードル（ｃ）は、前記図（ｂ）と同一の構造を有し、ただし、節コーティングの厚さを２０±２μｍでコーティングしたので、前記図１１の（ｂ）の場合、電磁波放射時、ニードルから発生される熱がコーティング面を乗り超える傾向があることから、これを防止するために、多少厚めにコーティングしたものである。
【００９６】
次に、図１１に示されたニードル（ｄ）は、先鋭な一側端部から１５゜斜めに屈折された第５屈折地点までの距離である約０．２６ｍｍ±０．０２ｍｍの部分が非絶縁され、また第５屈折地点から７．５゜斜めに屈折された第６屈折地点までの距離である約１．１３ｍｍ±０．０２ｍｍの部分が絶縁体で１５μｍ±１０μｍコーティングされ、前記第５屈折地点から前記一側端部と対向する他側端部まで直径０．２５ｍｍで、屈折なしに水平に絶縁体で１５μｍ±１０μｍコーティングされて電磁波が皮膚に伝達される。
【００９７】
このとき、前記電磁波は、１０ＫＨｚないし１００ＭＨｚであることが好ましく、前記ニードル１００の材質は、ステンレス鋼であり、前記ステンレス鋼の熱伝導率は１４ｃａｌ／゜Ｃである。また通常のアルミニウムの材質であっても好ましい。
【００９８】
一方、多数のニードル１００は、４本ないし８１本がニードル固定部２００に固定されて一組を成して皮膚に挿入されることが好ましい。すなわち、治療しようとする部位の広さによってニードル１００の数を適切に選択して、目的部位だけに高周波を印加しようとする目的である。特に、図１２に示されたように、ある１つのニードルと隣接するニードル間の間隔（図１２に示されたＤ部分）は、０．４ｍｍないし３．０ｍｍであることが好ましい。皮膚組織が引っ張り合って収縮して面積と体積を減少させる一般的な目的で用いる場合には、ニードル間の間隔が１．０ｍｍないし３．０ｍｍが合適である。一方、傷痕のように施術部位全体を変性させる目的で用いる場合には、ニードル間の間隔が０．４ｍｍないし１．０ｍｍであることが好ましい。
【００９９】
また、多数のニードル１００は、皮膚に挿入される深さが０．３ｍｍないし２．５ｃｍであることが好ましい。皮下脂肪層を除いた皮膚の厚さは、部位によって相当差があるが、最も厚い皮膚の厚さは約４ｍｍである。皮膚改善、または傷痕の改善のための場合に、挿入される針の深さは０．３ｍｍないし２ｍｍ程度であることが好ましい。腹部の脂肪や肉がついた部分の皮下脂肪を治療する場合に、挿入される針の深さは２ｍｍないし２．５ｃｍ程度であることが好ましい。
【０１００】
さらに、前記多数のニードル１００は、最初に配置されたニードルから対向する端部に配置されたニードルまでの距離（図１２に示されたＥ部分）が２ｍｍないし２０ｍｍであることが好ましい。前記距離（Ｅ）が２０ｍｍを超える場合には、皮膚とニードルの完全な接触が難しく、均一な圧力で施術しにくいため、皮膚が引っかかることがある。前記距離（Ｅ）が２ｍｍ未満の場合には、施術面積が狭すぎて治療の効率の低いという問題点がある。
【０１０１】
前記ニードル固定部２００に固定されるニードル１００は、図１３ないし図１５に示されたように、そのニードル１００の長さが互いに異なる２種以上からなってもよい。
【０１０２】
次に、ニードル固定部２００に固定された多数のニードル１００の寿命が終わる場合に容易に交替できるように多数のニードル１００、ニードル固定部２００、電磁波伝達部４００を一つの組立体１４０として形成することが好ましい。図１６を参照すると、前記多数のニードル１００、ニードル固定部２００、電磁波伝達部４００が開放された上部に嵌合し、組み立てられて保護され、下部に前記多数のニードルが通過される多数の第１孔６１０が形成された内部ケース６００がさらに含まれることが好ましい。
【０１０３】
次に、皮膚と接する下部に、前記多数のニードル１００が通過する第２孔７１０が形成され、上部が開放された皮膚支持部材７００が備えられている。前記多数のニードル１００、ニードル固定部２００、電磁波伝達部４００、内部ケース６００が組み立てられてなる組立体１４０が、前記皮膚支持部材７００の開放された上部を通じて収容されて、前記第２孔７１０に多数のニードル１００が通過するように配置されている。必要に応じて前記内部ケース６００を含まず、前記ニードル固定部２００と前記皮膚支持部材７００を結合することができる。
【０１０４】
前記皮膚支持部材７００は、多数のニードル１００が付いているニードル固定部２００が直接皮膚を加撃しないようにするために設けられたものである。前記ニードル固定部２００が直接皮膚を加撃すると、皮膚接触のとき痛みを誘発することがある。したがって、前記皮膚支持部材７００は、ニードル固定部２００と皮膚の間に位置して、そのニードル固定部２００の動作摩擦を皮膚が直接受けないようにする役割をする。前記皮膚支持部材７００は、熱伝導率が１４ｃａｌ／℃であるステンレス鋼で製造されることが好ましい。
【０１０５】
前記皮膚支持部材７００は、前記組立体１４０の交替を円滑に行うために構成されたものである。また、前記第２孔７１０が形成された面、すなわち、皮膚と接しない内周面に１つ以上の弾性部材８００を備えることで、弾性部材の反発力により直ちに皮膚に挿入された多数のニードル１００が抜け出るようにするためのものである。
【０１０６】
前記弾性部材８００は、スプリングが好ましい。皮膚に挿入される前記多数のニードル１００は、打撃により皮膚に２秒以内挿入された直後、弾性を用いて皮膚に挿入された多数の電導性ニードルが皮膚から抜け出るように弾性復元力を有することが好ましい。ニードル１００が２秒以内に皮膚から回収されると、皮膚表面が引っかかれず施術能率が向上する。
【０１０７】
例えば、前記弾性部材８００は、前記皮膚支持部材７００の内側角のそれぞれに固定されるように付着されることが最も好ましい。このように付着された弾性部材８００は、前記電導性ニードル１００、ニードル固定部２００、電磁波伝達部４００が組み立てられた組立体１４０は、弾性部材８００の高さ、すなわち、前記皮膚支持部材７００の下部面から３ｃｍ以内の距離にニードル固定部２００が位置するように形成されることが好ましい。
【０１０８】
これは、弾性部材８００の弾性により皮膚に前記電導性ニードル１００が２秒以内に挿入された直後、皮膚に挿入されたニードル１００が直ちに抜け出るようにし、再度打撃により皮膚に迅速にまた挿入されるようにする。
【０１０９】
一方、前記弾性部材８００の代りに駆動部３００に弾性構造を備えて、前記組立体１４０を弾性により上に上げることも可能である。すなわち、前記弾性部材８００と構造を異ならせても、前記ニードル固定部２００を皮膚から遠くなる方向に移動させるように、弾性復元力を有する弾性部材８００が備えられた場合には、本発明の目的を達成することができる。例えば、弾性部材８００は、ニードル固定部２００と前記内部ケース６００の間に配置されてもよい。弾性部材８００は、圧縮コイルスプリング、引張コイルスプリング、弾性ゴムなど、様々な形態が採用される。
【０１１０】
次に、前記組立体１４０に多数のニードル１００に関する情報を有するメモリ部９００をさらに含むことが好ましい。
【０１１１】
前記メモリ部９００は、ニードル１００が皮膚に挿入された回数に関するカウント情報、最初装着された以後に何時間用いられたかに関する時間情報、電導性ニードルの配列と長さに関する情報が含まれる。
【０１１２】
共に、前記メモリ部９００と中央処理ユニット（ＣＰＵ、１１００）と連結されるとき、最初連結されたという初期連結信号を、時間情報として前記中央処理ユニット１１００に伝達する。以後、前記中央処理ユニット１１００は、設定された時間までカウントし、設定された時間が経過すると前記組立体１４０の動作を中止させる。また、前記中央処理ユニット１１００は、多数のニードル１００が皮膚に挿入される回数をカウントしてそのニードル１００の寿命をチェックする。
【０１１３】
これは、多数のニードル１００が長い間用いられると、焦げたり、撓んだりする問題が発生するため、一定時間経過後、または設定された使用回数が経過されると、これ以上ニードル１００の使用を制限するためである。
【０１１４】
このとき、前記電磁波は１０ＫＨｚないし１００ＭＨｚであることが好ましい。このような範囲の電磁波を加える理由は、人体組織の正常な筋肉を刺激させる脈動期間は０．００１ｍｓないし１ｍｓと非常に短いため、高周波の電磁波を加えることが効果的であるためである。
【０１１５】
そして、前記ニードル固定部２００は、前記多数のニードル１００が挿入される皮膚と５ｍｍないし３ｃｍの距離に位置することが好ましい。多数のニードル１００が固定されているニードル固定部２００が直接皮膚を加撃すると、痛みを誘発することがある。前記ニードル固定部２００と皮膚の間の距離が５ｍｍ未満の場合には、ニードル固定部２００が直接皮膚を加撃する場合と同一の痛みを誘発する問題点がある。一方、前記ニードル固定部２００と皮膚の間の距離が３ｃｍを超える場合には、ニードル１００の長さが長くなって撓みやすくなる問題点がある。
【０１１６】
前記内部ケース６００を覆う第１蓋６２０と、前記皮膚支持部材７００を覆い、前記組立体１４０に力を伝達するための第３孔７２１が形成された第２蓋７２０とがさらに備えられることが好ましい。
【０１１７】
以上、多数のニードル１００と、前記多数のニードル１００の周辺に構成される構成要素を説明した。これから、駆動部３００について詳しく説明する。
【０１１８】
前記駆動部３００は、前記ニードル固定部２００に固定された多数のニードル１００が皮膚に挿入されるように、前記ニードル固定部２００に直接、または間接に力を伝達する。
【０１１９】
例えば、直接の場合は、駆動部３００が前記ニードル固定部２００に直接固定されるように付着されて上下運動を通じて多数のニードル１００が皮膚に挿入されることである。一方、間接の場合は、駆動部３００が前記ニードル固定部２００に打撃を加えてニードル固定部２００が下降するように力を加えることである。
【０１２０】
このとき、駆動部３００は、電気信号により動く電磁気力、油圧力、空気圧力、ソレノイドバルブのうち、いずれか１つにより駆動されることが好ましい。図３２と図３３には、空圧により駆動される駆動部３００の実施形態が示されている。図３２のような駆動部３００は、ニードル１００の数が多い場合に用いられる。図３２を参照すると、例えば空圧により駆動される駆動部３００は、空圧の入力される空圧入口３０２と空圧出口３０４を含んでいる。前記駆動部３００は、前記空圧入口３０２から前記空圧出口３０４側へ空気が流動する場合にロッドが下降する。一方、前記空圧出口３０４から前記空圧入口３０２側へ空気が流動する場合にはロッドが上昇する。一方、図３３に示された駆動部３００は、ニードル１００の数が少ない場合に用いられる。図３３に示された駆動部３００は、空圧入口３０２と空圧出口３０４として同じポートを用いる。すなわち、前記空圧入口３０２に空気が流入されると、ロッドが下降する。一方、ロッドの上昇はリターンスプリング３０６により具現される。前記リターンスプリング３０６の弾性復元力によりロッドが上昇する場合に、前記空圧入口３０２に流入された空気は、前記空圧出口３０４にまた流出される。
【０１２１】
一方、前記駆動部３００は、前記ニードル固定部２００が嵌合し、組み立てられるための第１結合部位を含んでいる。また、前記駆動部３００は、前記多数のニードル１００が皮膚に挿入される深さを調節するための調節部材３２０が組み立てられるために第２結合部位３１２がさらに形成されることも好ましい。
【０１２２】
これと同時に、前記ニードル固定部２００が嵌合し、組み立てられるための第１結合部位と、多数のニードル１００が皮膚に挿入される深さを調節する調節部材３２０が組み立てられるための第２結合部位３１２とが前記駆動部３００に一体に形成されることも好ましい。
【０１２３】
例えば、図１８に示されたように、前記ニードル固定部２００が嵌合し、組み立てられるための第１結合部位を第１溝３１１として形成し、多数のニードルが皮膚に挿入される長さを調節する調節部材３２０が組み立てられるための第２結合部位を第２溝３１２として形成した。
【０１２４】
さらに詳しく、図１８に示されたように、前記駆動部３００がソレノイドバルブである場合には、前記第１結合部位及び前記第２結合部位が前記駆動部３００に一体型に形成されて、前記多数のニードル１００に力を加えて皮膚に挿入されるように構成することができる。図１８に示された実施例以外に、他の構造で前記第１、第２結合部位を設計することも可能である。
【０１２５】
前記調節部材３２０は、図１８に示されたように、左右に突起３２２が形成されて前記第２溝３１２に嵌合し、組み立てされ、前記左右の突起３２２と一体型で胴体３２１が形成され、前記胴体３２１に鍔係止状態で前記駆動部３００がかかるようになる。
【０１２６】
例えば、ソレノイドバルブの場合には、図１９に示されたようであり、駆動部３００から加えられる力は、多数のニードル１００に打撃を加えるとき、前記胴体３２１の厚さによって打撃する高さが決まる。すなわち、胴体３２１の厚さが薄いとさらに高い位置で打撃するようになり、胴体３２１の厚さが厚いとさらに低い位置で打撃するようになるため、多数のニードル１００が皮膚に挿入される程度を調節するようになる。
【０１２７】
結果として、このような係止は、胴体３２１の厚さが薄いものより厚い場合に先に接触するため、ニードルに伝達する力が弱くなる。したがって、前記調節部材３２０は、多数のニードル１００が皮膚に挿入される深さを調節するようになる。
【０１２８】
さらに、前記調節部材３２０は、前記ニードル固定部２００に伝達する力を減少するために係止鍔３３０の高さが互いに異なるように多数形成されて、前記多数の係止鍔３３０を回転により調節されるように形成することも好ましい。
【０１２９】
すなわち、前記第２溝３１２を改良して前記多数の係止鍔３３０を回転させて、多数のニードル１００に伝達する力の強弱を調節することができる。図２０のように多数の係止鍔３３０は、その係止鍔３３０の回転により高さが互いに変わる。前記係止鍔３３０を回転させることで駆動部３００により発生された力の強弱を調節して多数のニードル１００に伝達するようになる。
【０１３０】
さらに、図２１に示されたように、第１結合部位に「コ」字状の調節部材を挿入し、第２結合部位に組立体１４０が挿入された皮膚支持部材７００を嵌合し組み立てる。このように組み立てると、駆動部３００により前記組立体１４０に力を伝達し、伝達された力により下降するようになるため、このとき組立体１４０は、多数のニードル１００を含んでいることから、下降により前記多数のニードル１００が皮膚に挿入されるようになる。
【０１３１】
前記皮膚支持部材７００の内部の組立体１４０が下降する過程において、第２結合部位に前記「コ」字状の調節部材が嵌合し組み立てられると、ニードルがかからない範囲内で内部ケースに前記「コ」字状の調節部材がかかって、駆動部３００で前進する力を制御するようになる。
【０１３２】
一方、前記調節部材３２０を代替する構成要素、またはその調節部材３２０と相互補完的な作用をする挿入制限部材１３００をさらに含んでもよい。前記挿入制限部材１３００は、前記多数のニードル１００が皮膚に挿入される深さを調節するために備えられたものである。前記挿入制限部材１３００は、一側が皮膚に支持され、他側は図２２または図２３に示されたように、前記ケース１０００に支持されてもよい。一方、前記挿入制限部材１３００は、一側に皮膚に支持され、他側は図２４に示されたように、前記皮膚支持部材７００に支持されるように構成してもよい。前記挿入制限部材１３００は交替可能である。図３３には、他の形態の挿入制限部材１３００が示されている。一方、図３５及び図３６を参照すると、前記挿入制限部材１３００は、冷却媒体が流動することができる冷却媒体通路１３５０を備えてもよい。前記冷却媒体通路１３５０には、冷却媒体が流入される冷却媒体入口１３２０と、冷却媒体出口１３４０とが備えられている。冷却媒体として水や空気など多様な媒体が用いられる。前記冷却媒体入口１３２０に流入された冷却媒体は、前記冷却媒体通路１３５０を流動した後、前記冷却媒体出口１３４０で排出される。冷却媒体は、前記挿入制限部材１３００を冷却して被施術者の苦痛を軽減させる役割をする。前記冷却媒体通路１３５０の前記冷却媒体入口１３２０、または前記冷却媒体出口１３４０以外の孔は、栓により適切に閉鎖することができる。
【０１３３】
前記電磁波伝達部４００は、外部から電磁波をケーブルを通じて受信した以後、前記多数のニードル１００に伝達する。
【０１３４】
一方、本発明による皮膚処置装置１０は、キャビティボディー５００をさらに含んでもよい。すなわち、前記多数のニードル１００、前記ニードル固定部２００、前記駆動部３００、前記電磁波伝達部４００、キャビティボディー５００をさらに含んでもよい。
【０１３５】
したがって、前記多数のニードル１００、前記ニードル固定部２００、前記駆動部３００、前記電磁波伝達部４００は、上述した例と同一であるため、それに対する詳しい説明を省略し、キャビティボディー５００に対してのみ詳しく説明する。
【０１３６】
前記キャビティボディー５００には、前記ニードル固定部２００が嵌合し組み立てられるための第３結合部位と、多数のニードルが皮膚に挿入される長さを調節する調節部材が組み立てられるための第４結合部位とが形成されている。前記第３結合部位と前記第４結合部位は、前記第１結合部位及び前記第２結合部位と同一の役割をする。
【０１３７】
例えば、図２５に示されたように、前記キャビティボディー５００は、第３溝５３１と第４溝５３２を備えている。前記第３溝５３１は、前記ニードル固定部２００が嵌合し組み立てられるためのものである。前記第３溝５３１は、前記第１溝３１１に対応する構成要素である。前記第４溝５３２は、多数のニードル１００が皮膚に挿入される深さを調節する調節部材３２０が組み立てられるためのものである。前記第４溝５３２は、前記第２溝３１２に対応する構成要素である。前記第３溝５３１と前記第４溝５３２は、前記キャビティボディー５００に一体に形成されている。前記第３溝５３１と前記第４溝５３２は、前記キャビティボディー５００と別に製造されて、そのキャビティボディー５００に組み立てられるように構成してもよい。前記キャビティボディー５００に組み立てられたニードル固定部２００に力を加えて多数のニードル１００が皮膚に挿入されるようにするのである。図２５に示された実施例以外に、他の構造で前記第３、第４結合部位を設計することも可能である。
【０１３８】
前記キャビティボディー５００は、前記駆動部３００が嵌合されるように一側が開放され、前記駆動部３００と接する側面に水が循環される構造が形成されて前記駆動部３００で発生する熱を冷却する。
【０１３９】
例えば、図２５及び図２６に示されたように、前記駆動部３００が嵌合し挿入されるように一側が開放されている。前記駆動部３００と接する側面の水循環構造は、図２７と図２８に示されたＡ−Ａ’切断面図を参照する。前記駆動部３００は、注入される注入口５１０と水が排出される排出口５２０が形成されている。前記注入口５１０を通じて注入された水は、循環した以後に前記排出口５２０で排出される。
【０１４０】
さらに、図２９に示されたように、前記キャビティボディー５００には、熱電素子５４０が備えられている。前記熱電素子５４０は、熱が発生される駆動部３００を冷却するために備えられたものである。前記熱電素子５４０は、前記駆動部３００と接する部分は温度が低く、前記駆動部３００と接する部分の反対面は相対的に温度が高く維持されるようになっている。前記熱電素子５４０は、前記注入口５１０、排出口５２０が形成されたキャビティボディー５００の側面に配置されている。
【０１４１】
さらに、前記水循環構造の代用として空冷式構造を用いてもよい。空冷式構造は、前記注入口５１０に冷気を外部から注入して、前記排出口５２０を通じて外部に排出されるように構成することが好ましい。
【０１４２】
一方、前記説明した多数のニードル１００、ニードル固定部２００、駆動部３００、電磁波伝達部４００及びキャビティボディー５００を保護するためのケース１０００が、図３０に示されたようにさらに備えられることが好ましい。
【０１４３】
さらに、図３０に示されたように、本発明による皮膚処置装置が動作するための全ての情報を有する中央処理ユニット１１００をさらに含むことが好ましい。前記中央処理ユニット１１００が処理する情報は、特に駆動部の寿命情報、ニードル自体の情報（ニードルの数、ニードルの長さ）、電磁波の電圧情報、電磁波の出力時間情報などが該当する。
【０１４４】
特に前記ニードル自体の情報は、前記メモリ部９００に伝達されて、メモリ部９００のニードル情報と一致すると動作され、一致しないと動作されないようにする。
【０１４５】
さらに、前記中央処理ユニット１１００は、メモリ部９００から固有番号を受信した後、前記固有番号と一致しない場合は、動作されないように制御し、一致する場合には寿命に当たる設定された時間までカウントし、設定された時間が経過した以後に組立体１４０の動作を中止させる。
【０１４６】
また、前記中央処理ユニット１１００は、前記多数のニードル１００が皮膚に挿入される回数をカウントしてニードルの寿命をチェックする。前記中央処理ユニット１１００は、駆動部３００がニードルに力を伝達する回数をカウントして、ニードルの寿命をチェックすることも好ましい。前記中央処理ユニット１１００は、ニードルの動きをセンサーで感知してカウントするなど、多様な方法でニードルの寿命をチェックすることができる。前記中央処理ユニット１１００は、ニードルの端部が撓んだり折れたり、または摩耗されるなどの問題によりニードルを交替するために、ニードルの寿命をチェックするものである。
【０１４７】
前記メモリ部９００と前記うち央処理ユニット１１００を直接連結してもよいが、前記メモリ部９００の交換のためにコネクター１２００をさらに備えることで円滑に分離交替できるようにすることが好ましい。
【０１４８】
一方、図３１に示されたように、前記ケース１０００は、冷気噴射ノズル１４００を備えている。前記冷気噴射ノズル１４００は、ニードル１００が挿入される前または挿入後に、治療対象になる皮膚を冷却するために備えられたものである。前記冷気噴射ノズル１４００は、前記ケース１０００の外部から冷気が流入されるための流入通路（未示）を通じて、流入された冷気を一定の圧力で皮膚に噴射する役割をする。前記冷気噴射ノズル１４００は、前記ケース１０００から皮膚に向かって突出されている。前記冷気噴射ノズル１４００から噴射された冷気は、皮膚を冷却して痛みを無くして傷治治癒を助ける作用をする。
【０１４９】
一方、図３７を参照すると、本発明による他の実施例では、前記ニードル１００に薬物注入管が備えられている。前記薬物注入管１０５は、前記複数のニードル１００のそれぞれに備えられている。前記薬物注入管１０５は、前記ニードル１００の長さ方向に沿って、そのニードル１００の上端から下端に貫通するように形成されている。前記薬物注入管１０５は、前記ニードル１００が皮膚に挿入された状態において、その皮膚の内に必要な薬物を注入できるようにするために備えられたものである。前記複数のニードル１００のうち、一部のみに薬物が供給されるように前記ニードル１００の上部に薬物供給通路１５３０の一端部が連結されている。前記複数のニードル１００のうち、残りの上部には伝達部材４１０が連結されて、前記電磁波伝達部４００から電磁波が伝達されてニードル１００に伝達する。すなわち、前記伝達部材４１０が設けられたニードル１００には薬物が供給されなくなる。前記薬物供給通路１５３０の他端部は、薬物注入装置１５００に連結されている。前記薬物注入装置１５００は、一種のシリンジポンプとして加圧されるピストン１５１０を備えている。前記薬物注入装置１５００には、薬物１５２０が収容されている。前記ピストン１５１０には、モーターのような動力手段により圧力が加えられるように構成することができる。図３７に示されたような構造を有する皮膚処置装置は、皮膚に前記ニードル１００を挿入した状態で皮膚の一部分には薬物を注入し、他の部分には電磁波を伝達することで、効果的な皮膚治療を可能とする効果を提供する。
【０１５０】
図と詳しい説明において最適実試例が開示され、以上で用いられた特定の用語は、単に本発明を説明するための目的で用いられたものであり、意味限定や特許請求の範囲に記載された本発明の範囲を制限するために用いられたものではない。
【０１５１】
したがって、本技術分野における通常の知識を有する者であれば、これに基づいて多様な変形及び均等な他の実施例が可能であり、本発明の真正な技術的保護範囲は、特許請求の範囲の技術的思想により決まらなければならない。
【産業上の利用可能性】
【０１５２】
本発明の皮膚処置装置は、表皮層を貫通して真皮層または目的とする皮膚組織内までニードルを挿入して高周波エネルギーを印加することで、火傷を負わせず皮膚を処置することができ、皮膚組織内の目的する部位にエネルギーを正確に伝達することができ、皮膚に対するニードルの入射角と出射角を同一にし、挿入速度と回収速度を標準化及び速めるようにニードルの形態を最適化して、施術者と患者のストレスと痛みを軽減させ、消耗品として形成されるニードルの種類寿命等を自動に管理してその安全性をさらに高めた効果がある。
【０１５３】
このような面で、痛みを軽減させて患者に安定感を与え、表皮層を貫通して真皮層または目的とする皮膚組織内に高周波エネルギーを印加することで、皮膚処置を所望する患者に安全かつ効果的な発明であると言える。
【符号の説明】
【０１５４】
１０：ロールベール 
１００：多数のニードル
１０５：薬物注入管
１１０：第１絶縁部
１２０：第２絶縁部
１３０：非絶縁部
１４０：組立体
２００：ニードル固定部
３００：駆動部
３０２：空圧入口
３０４：空圧出口
３０６：リターンスプリング
３１１：第１溝
３１２：第２溝
３２０：調節部材
３２１：胴体
３２２：突起
３３０：係止鍔
４００：電磁波伝達部
４１０：伝達部材
５００：キャビティボディー
５１０：注入部
５２０：排出部
５３１：第３溝
５３２：第４溝
５４０：熱電素子
６００：内部ケース
６１０：第１孔
６２０：第１蓋
７００：皮膚支持部材
７１０：第２孔
７２０：第２蓋
７２１：第３孔
８００：弾性部材
９００：メモリ
９１０：ケーブル
１０００：ケース
１１００：中央処理ユニット
１２００：コネクター
１３００：挿入制限部材
１３２０：冷却媒体入口
１３４０：冷却媒体出口
１３５０：冷却媒体通路
１４００：冷気噴射ノズル
１５００：薬物注入装置
１５１０：ピストン
１５２０：薬物
１５３０：薬物伝達通路
【図１】
0005539396.tif 000002
【図２】
0005539396.tif 000003
【図３】
0005539396.tif 000004
【図４】
0005539396.tif 000005
【図５】
0005539396.tif 000006
【図６】
0005539396.tif 000007
【図７】
0005539396.tif 000008
【図８】
0005539396.tif 000009
【図９】
0005539396.tif 000010
【図１０】
0005539396.tif 000011
【図１１】
0005539396.tif 000012
【図１２】
0005539396.tif 000013
【図１３】
0005539396.tif 000014
【図１４】
0005539396.tif 000015
【図１５】
0005539396.tif 000016
【図１６】
0005539396.tif 000017
【図１７】
0005539396.tif 000018
【図１８】
0005539396.tif 000019
【図１９】
0005539396.tif 000020
【図２０】
0005539396.tif 000021
【図２１】
0005539396.tif 000022
【図２２】
0005539396.tif 000023
【図２３】
0005539396.tif 000024
【図２４】
0005539396.tif 000025
【図２５】
0005539396.tif 000026
【図２６】
0005539396.tif 000027
【図２７】
0005539396.tif 000028
【図２８】
0005539396.tif 000029
【図２９】
0005539396.tif 000030
【図３０】
0005539396.tif 000031
【図３１】
0005539396.tif 000032
【図３２】
0005539396.tif 000033
【図３３】
0005539396.tif 000034
【図３４】
0005539396.tif 000035
【図３５】
0005539396.tif 000036
【図３６】
0005539396.tif 000037
【図３７】
0005539396.tif 000038